(57)【要約】【課題】トレイに収納したポットを隠さずに広告が表示できたり、前記トレイの角部でも広告が表示できるラベルを提供する。【解決手段】トレイ１に装着するラベル２であって、広告が表示される表示部21と、トレイ１の外周ベルト部121に装着される装着部22とから構成され、装着部22は、上端及び下端が同じ高さにある左右の縦溝221,221と前記縦溝221,221の上端を結ぶ横溝222とをくり抜いて、前記縦溝221,221及び横溝222に三方を囲まれた突片部を形成したことを特徴とする。【選択図】図３
2017112856.tif 000002
【特許請求の範囲】
【請求項１】
育苗ポット収納トレイに装着する広告表示用ラベルであって、
広告が表示される表示部と、育苗ポット収納トレイの外周ベルト部に装着される装着部とから構成され、
装着部は、上端及び下端が同じ高さにある左右の縦溝と前記縦溝の上端を結ぶ横溝とをくり抜いて、前記縦溝及び横溝に三方を囲まれた突片部を形成したことを特徴とする広告表示用ラベル。
【請求項２】
装着部は、縦溝の下端より下方を受け片部とし、突片部及び受け片部が繋がる左右の連結部を残して、前記連結部の間で前記突片部及び受け片部を分断した請求項１記載の広告表示用ラベル。
【請求項３】
装着部は、縦溝の下端より下方を受け片部とし、突片部及び受け片部が繋がる連結部を残して、前記連結部と縦溝の下端との間で前記突片部及び受け片部を分断した請求項１又は２いずれか記載の広告表示用ラベル。
【請求項４】
表示部又は装着部は、切り起こし片を設けた請求項１〜３いずれか記載の広告表示用ラベル。
【請求項５】
表示部又は装着部は、別の広告表示用ラベルの表示部又は装着部との間に追加広告面を架け渡した請求項１〜４いずれか記載の広告表示用ラベル。
【発明の詳細な説明】
【技術分野】
【０００１】
本発明は、育苗ポットの収納部を多数有する育苗ポット収納トレイ（以下、トレイと略する）に装着する広告表示用ラベル（以下、ラベルと略する）に関する。
【背景技術】
【０００２】
育苗ポットを収納したトレイは、例えば展示に際し、種苗の宣伝又は説明する広告が表示されるラベルが装着される（特許文献１及び特許文献２）。特許文献１は、トレイ（ポット収納用トレイ）のフレームの辺部に設けた掛止部にラベル（表示タグ）を着脱自在に引っ掛けて装着する（特許文献１・［請求項１］）。特許文献２は、トレイ（ポット収納用トレイ）のフレーム（外枠）の辺部に設けたラベル受け溝に、ラベル（表示板）の差し込み片を差し込んで装着させる（特許文献２・［請求項１］）。差し込み片は、基部側に設けられた鉤状の抜き出し止め部がラベル受け溝の縁に引っ掛ける（特許文献２・［請求項５］））。
【先行技術文献】
【特許文献】
【０００３】
【特許文献１】特開2006-204127号公報
【特許文献２】特開2010-029100号公報
【発明の概要】
【発明が解決しようとする課題】
【０００４】
特許文献１及び特許文献２に見られるように、従来のラベルは、専らトレイのフレームの片部に装着される。通常長尺である辺部に長さを合わせたラベルは、表示面が大きくなり、表示された広告の訴求力が大きくなることが期待される。しかし、大きなラベルは、トレイに収納したポットを隠す短所も併せて持っていた。また、大きなラベルであっても、トレイの角部にまで広告を表示することができなかった。そこで、トレイに収納したポットを隠さずに広告が表示ができたり、前記トレイの角部でも広告が表示できるラベルを開発するべく、検討した。
【課題を解決するための手段】
【０００５】
検討の結果開発したものが、トレイに装着するラベルであって、広告が表示される表示部と、トレイの外周ベルト部に装着される装着部とから構成され、装着部は、上端及び下端が同じ高さにある左右の縦溝と前記縦溝の上端を結ぶ横溝とをくり抜いて、前記縦溝及び横溝に三方を囲まれた突片部を形成したことを特徴とするラベルである。表示部及び装着部は、別体のシートとして構成し、連結してラベルとしてもよいが、通常、１枚のシートを区分して、表示部及び装着部を構成する。広告は、表示部に表示されるが、装着部にも広告が表示されてもよい。この場合、表示部及び装着部の広告は連続してもよいし、それぞれ独立した広告であってもよい。
【０００６】
ラベルの外形状は特に限定されない。ラベルの上下左右は、縦溝の外縁（左右の縦溝の相手方から遠い側の縦縁）がトレイのフレームの外周ベルト部に添い、横溝の上縁が前記フレームの上面に添う際の姿勢により、決定される。ラベルは、装着部を基準に表示部が設けられる。基本的な構成のラベルは、装着部より上方に表示部を設け、前記表示部をトレイの上面から上方に突出させる。ラベルは、前記構成と逆に、装着部より下方に表示部を設けて前記表示部をトレイの上面から下方に突出させる構成とすることもできる。この場合、装着部から下方に延びる表示部は、受け片部を兼ねる。更に、ラベルは、装着部を挟んだ上下に表示部を設けた構成や、装着部を囲んで表示部を設けた構成でもよい。
【０００７】
トレイは、材料の節約や軽量化の観点から、フレームの上面を囲む補強用の外周ベルト部と、前記外周ベルト部に直近の収納部との間に、下方に開いた隙間が形成される構造が多い。本発明のラベルは、前記隙間に下方から突片部のみを差し込み、横溝の上縁と縦溝の下端とで前記フレームを挟んで、トレイに装着する。このとき、直線状の隙間を形成するトレイの辺部に本発明のラベルを装着すると、突片部を挟む残余部分（縦梁部）から表示部が前記辺部と平行になり、装着安定性に欠ける。これから、本発明のラベルは、表示部と突片部を含む装着部を左右に折る又は湾曲させ、トレイの角部に形成される折れ曲がった隙間や、トレイの辺部に形成される三角形断面の隙間に、下方から左右に折った又は湾曲させた突片部を挿入し、装着するとよい。
【０００８】
本発明のラベルをトレイの角部に装着する場合、突片部と前記突片部を除く装着部の残余部分とが繋がっているため、装着部を折る又は曲げると突片部も折る又は曲がる。そこで、装着部は、縦溝の下端より下方を受け片部とし、突片部及び受け片部が繋がる左右の連結部を残して、前記連結部の間で前記突片部及び受け片部を分断すると、受け片部を左右に折っても突片部を折らずに済み、また受け片部より突片部を大きく湾曲させることができる。これにより、突片部がトレイの角部に形成される隙間より大きな曲率で湾曲し、外周ベルト部の内側に圧接できる。左右の連結部に挟まれる分断構造は、幅のない切れ込みや縦溝又は横溝同様の分断溝でもよい。
【０００９】
また、既述したように、突片部は外周ベルトの内側、縦梁部が前記外周ベルトの外側に位置するため、特に縦溝の下端より下方で連続する突片部と縦梁部とが互いの変形の影響を受けて捩れてしまう。そこで、装着部は、縦溝の下端より下方を受け片部とし、突片部及び受け片部が繋がる連結部を残して、前記連結部と縦溝の下端との間で前記突片部及び受け片部を分断すると、突片部と縦梁部との変形が互いに影響せず、前記捩れの発生を抑制又は防止できる。連結部は、縦溝の下端から延びる分断構造を除いた全部とすることもできるが、上述した左右の連結部（連結部の間にも分断構造がある）としてもよい。縦溝の下端から延びる分断構造は、幅のない切れ込みや縦溝又は横溝同様の分断溝でもよい。
【００１０】
本発明のラベルをトレイの角部に装着する場合、左右に折る又は湾曲させるため、一度に視認できる表示部又は装着部の大きさが狭くなる。そこで、ラベル、特に表示部に表示される広告に注意を促すため、表示部又は装着部は、切り起こし片を設けるとよい。これにより、一度に視認できる表示部又は装着部の大きさが、切り起こし片を加えた大きさになり、購買者を注意喚起しやすくなる。切り起こし片は、表示部に主として設ける。しかし、装着部にも広告を表示できるほか、立体的な外観のラベルに注意を惹くために、装着部の突片部を除く残余部分にも切り起こし片を設けてもよい。
【００１１】
また、広告が表示される部分を増加させる目的から、表示部又は装着部は、別のラベルの表示部又は装着部との間に追加広告面を架け渡すとよい。追加広告面は、トレイの辺部に沿った表示部又は装着部の延長部分である。追加広告面は、それ自体がトレイの辺部に支持されるのではなく、両側を挟む２つの表示部に連続する装着部により、トレイの辺部又は角部に支持される。追加広告面は、表示部及び装着部の全部に架け渡す大きさでもよいし、表示部又は装着部の一部に架け渡す単数又は複数でもよい。また、追加広告面は、表示部又は装着部と一体に構成してもよいし、前記表示部又は装着部と別体で構成してもよい。
【発明の効果】
【００１２】
本発明のラベルは、トレイの辺部及び角部の別なく装着できるため、例えば前記トレイの角部に装着すれば、トレイに収納したポットを隠さずに広告が表示できたり、従来広告が表示できなかった前記トレイの角部に広告が表示できるようになる。これは、特にトレイの外周ベルト部と収納部との隙間に、縦溝及び横溝に三方が囲まれた突片部を下方から差し込むことにより、ラベルをトレイに装着できるようにしたことによる効果である。
【００１３】
本発明のラベルは、装着部の縦溝の下端より下方を受け片部として、連結部を残して前記受け片部と突片部とを左右中間で分断することにより、突片部が弾性を発揮して外周ベルト部の内側に圧接し、前記突片部の隙間への挿入状態を維持しやすくする。また、本発明のラベルは、装着部の縦溝の下端より下方を受け片部として、連結部を残して前記受け片部と突片部とを左右端で分断することにより、突片部と縦梁部との変形が互いに影響しなくなり、突片部の隙間への挿入状態を維持しやすくする。こうした突片部と受け片部との前記分断構造は、それぞれ又は恊働して、トレイに対するラベルの装着安定性を高める。
【００１４】
切り起こし片は、表示部又は装着部に表示された広告への注意を引き起こしやすくする。また、追加広告面は、表示部又は装着部のみでは不十分な広告の表示される部分を増加させる。いずれも、広告を表示するラベルの働きを補強又は増加させることにより、広告媒体としてのラベルの価値を高める効果を有する。本発明のラベルは、従来できなかったトレイの角部で広告を表示する効果を有するから、前記切り起こし片や追加広告面を併用することにより、従来にない広告の表意形態をトレイに付与することができるようになる。
【図面の簡単な説明】
【００１５】
【図１】本発明を適用したラベルの一例を表す斜視図である。
【図２】本例のラベルを左右に折った状態を表す斜視図である。
【図３】本例のラベルをトレイの角部に装着した状態を表す斜視図である。
【図４】図３中Ａ矢視部の部分拡大斜視図である。
【図５】図３中Ａ矢視部相当部分を下から見た部分拡大斜視図である。
【図６】別例１のラベルを左右に折った状態を表す図２相当斜視図である。
【図７】別例２のラベルを左右に折った状態を表す図２相当斜視図である。
【図８】別例３のラベルをトレイの辺部に沿って装着した状態を表す図３相当斜視図である。
【図９】別例４のラベルをトレイの辺部に沿って装着した状態を表す図３相当斜視図である。
【発明を実施するための形態】
【００１６】
以下、本発明を実施するための形態について図を参照しながら説明する。本発明のラベル２は、例えば図１に見られるように、長方形外形の装着部22の上方に長方形外形の表示部21を設けて構成される。本例のラベル２は、１枚のシートに設定した仮想的な区切り線（図１中一点鎖線で表示）より上方を表示部21、前記区切り線より下方を装着部として、両者が連続している。ラベル２に使用されるシートは、素材が限定されないが、表示部21に印刷される広告（図示略）の保護を考慮して、樹脂製シート又は樹脂被覆紙製シートを用いるとよい。
【００１７】
表示部21は、従来同種のラベルと変わらないが、図２に見られるように、ラベル２をトレイ１に装着する際、左右中央に設ける山折れ線211により、平面視約90度で左右に折られる。左右に折られた表示部21は、表示された広告が左右に分かれるため、向きによって表示できる広告が半分程度になる。これから、後述するように、表示部21又は装着部22に切り起こし片212を設けたり（後掲図６又は図７参照）、２枚のラベル２,２間に追加広告面23を架け渡したりする（後掲図８又は図９参照）。
【００１８】
装着部22は、上端及び下端が同じ高さにある左右の縦溝221,221と、前記縦溝221,221の上端を結ぶ横溝222とをくり抜き、前記縦溝221,221及び横溝222に三方を囲まれた突片部223を形成している。本例の突片部223は、差し込むトレイ１の隙間122内に形成される突起等を回避するため、左右を徐変に切除した正面視台形状をしている。これにより、細長の縦溝221は、突片部223の切除に応じて、上方に向って徐変に広がる三角形状に修正されている。
【００１９】
本例の装着部22は、縦溝221,221の下端より下方を受け片部225とし、前記縦溝221,221の下端を結ぶ仮想線に対して左右に連結部228,228を設定して、前記連結部228,228間に中間切れ込み226を、前記連結部228,228と縦溝221,221との間に端部切れ込み227をそれぞれ設けて、突片部223と受け片部225とを分断している。受け片部225は、縦溝221,221の左右外側に形成される縦梁部224,224により支持され、突片部223は連結部228,228を介して前記受け片部225に支持される。
【００２０】
ラベル２は、突片部223を除いて、表示部21と装着部22とを左右に折り、図３〜図５に見られるように、トレイ１の角部に装着される。トレイ１は、フレーム12の交差する梁に囲まれた収納部11を多数有する樹脂一体成形品である。フレーム12は、保形を目的とした補強のため、上面を囲む外周ベルト部121を有する。ラベル２は、前記外周ベルト部121と、外周ベルト121に直近の収納部12との間に形成される隙間122に、下方から装着部22の突片部223を差し込み、トレイ１に装着する。
【００２１】
本例のラベル２を左右に折ると、表示部21と装着部22の受け片部225とは左右に折られるが、中間切れ込み226により前記受け片部225と分断されている突片部223は左右に折られない。そして、突片部223は、端部切れ込み227,227により縦梁部224,224とも分離されているため、前記縦梁部224,224の変形の影響を受けることなく、連結部228,228を介して受け片部225に従って湾曲する。
【００２２】
こうして湾曲した突片部223は、トレイ１の隙間122に下方から挿入されると、真っすぐな状態に復元しようと弾性を発揮し、両端近傍を外周ベルト部121の内側に、中央付近をトレイ１の角部に押し当てる。これにより、突片部223が隙間122内部で突っ張り、トレイ１に対するラベル２の姿勢を安定させる（又は姿勢を崩しにくくなる）。ラベル２は、姿勢が安定すると、横溝221の上縁をフレーム12の上面に上方から掛合させ、受け片部225の上縁を外周ベルト部121の下面に下方から掛合させた状態が維持されやすくなる。こうして、ラベル２の装着安定性が高められる。
【００２３】
本例のラベル２は、トレイ１の角部に装着する（図３参照）と、表示部21が左右に折れて半分しか一度に見えなくなる。そこで、別例１又は別例２のラベル２は、図６（別例１）又は図７（別例２）に見られるように、表示部21、更には装着部22に切り起こし片212を設けて、表示部21を立体的に見えるようにすることで、表示部21に表示された広告に注意を促しやすくしている。また、切り起こし片212に連続する表示部21の平面は、面積を増加させることにより、より大きな広告を表示できるようになる利点もある。
【００２４】
別例１のラベル２（図６参照）は、左右中心の１条の山折れ線211により左右に折られる表示部21の一面から切り起こした切り起こし片212を他面に揃える構成である。切り起こし片212は折られる表示部21の他面に揃うため、広告が表示される平面は実質２面である。別例１の切り起こし片212は、表示部21のみに設けられた長方形状の片部で、上下方向に等間隔で３枚設けられている。各切り起こし片212は、表示部21に形成される山折れ線211から同一方向に切り起こされている。装着部22は、上記例示（図２参照）と同じで、トレイ１に対する装着状態（図３参照）も上記例示と同様になる。
【００２５】
別例２のラベル２（図７参照）は、平行な２条の山折れ線211,211により折られる表示部21及び装着部22の一面及び多面双方からそれぞれ切り起こした切り起こし片212,212同士を揃える構成である。揃えた切り起こし片212,212は、折られる表示部21及び装着部22の一面及び多面いずれにも交差する関係となるから、広告が表示される平面は実質３面となる。別例２の切り起こし片212は、表示部21及び装着部22に設けられた長方形状の片部で、上下方向に等間隔かつ左右一対で８枚設けられている。各切り起こし片212は、表示部21に形成される山折れ線211,211から左右に切り起こされている。装着部22は、トレイ１に対する突片部223等が上記例示（図２参照）と同じなので、トレイ１に対する装着状態（図３参照）も上記例示と同様になる。
【００２６】
別例４又は別例５は、図８又は図９に見られるように、隣り合うトレイ１の角部それぞれに装着するラベル２に追加広告面23を架け渡した例である。追加広告面23は、トレイ１の辺部に沿って設けられる従来様のラベルに相当し、本発明のラベル２と連続させることにより、広告が表示できる大きな平面を構成する。別例４又は別例５は、ラベル２,２と一体で、左右の表示部21,21及び装着部22,22に連続するシートから追加広告面23を構成している。追加広告面23は、ラベル２,２と別体で、後から左右の表示部21,21又は装着部22,22の一方又は双方に接続してもよい。
【００２７】
別例４（図８参照）のラベル２は、上記例示（図１及び図２参照）同様、表示部21の下方に装着部22が位置する構成で、左右の表示部21,21及び装着部22,22にわたって追加広告面23を架け渡し、前記追加広告面23をトレイ１のフレーム12の上面より上方に突出させている。追加広告面23は、トレイ１のフレーム12の辺部に支持される従来のラベルに相当する。しかし、追加広告面23は、トレイ１に直接支持されずに左右のラベル２,２の装着部22,22を介してトレイ１に支持される点や、ラベル２がトレイ１の角部に位置することから前記角部を巻き込む広い範囲に連続する広告を表示できる点が、従来と異なる。図示を省略するが、広告への注意を促す切り起こし片を、ラベル２の表示部21、装着部22又は追加広告面23に設けてもよい。
【００２８】
別例５（図９参照）のラベル２は、上記例示（図１及び図２参照）と異なり、装着部22の下方に表示部21が位置する構成で、左右の表示部21,21及び装着部22,22にわたって追加広告面23を架け渡し、前記追加広告面23をトレイ１のフレーム12の上面より下方に突出させている。別例５の表示部21は、装着部22の受け片部225を延長した部分に相当する。追加広告面23は、前述のように、フレーム12の上面より下方に突出するから、収納部11に収めたポット（図示略）を隠すことがない。また、追加広告面23は、トレイ１に直接支持されずに左右のラベル２,２の装着部22,22を介してトレイ１に支持される点や、ラベル２がトレイ１の角部に位置することから前記角部を巻き込む広い範囲に連続する広告を表示できる点が、従来と異なる。図示を省略するが、広告への注意を促す切り起こし片を、ラベル２の表示部21、装着部22又は追加広告面23に設けてもよい。
【符号の説明】
【００２９】
１  トレイ
11  収納部
12  フレーム
121  外周ベルト部
122  隙間
２  ラベル
21  表示部
211  山折れ線
212  切り起こし片
22  装着部
221  縦溝
222  横溝
223  突片部
224  縦梁部
225  受け片部
226  中間切れ込み
227  端部切れ込み
228  連結部
23  追加広告面
【図１】
2017112856.tif 000003
【図２】
2017112856.tif 000004
【図３】
2017112856.tif 000005
【図４】
2017112856.tif 000006
【図５】
2017112856.tif 000007
【図６】
2017112856.tif 000008
【図７】
2017112856.tif 000009
【図８】
2017112856.tif 000010
【図９】
2017112856.tif 000011